(57)【要約】【課題】  中高音域のみならず重低音域も出力することにより迫力のある効果音等を出力可能とするとともに、スピーカ部分を介した不正行為も有効に防止する。【解決手段】  スロットマシンの前面パネル２０の下方にスピーカユニット２２の前面開口を客席側に向けて配置し、スピーカユニットの背面側を第一の密閉空間を形成する第一の密閉部材（２３）で覆うとともに、前面パネルの背面側を第二の密閉空間を形成する第二の密閉部材（１０ｂ）で覆い、第一の密閉空間と第二の密閉空間とをダクト（１０ｄ）で連通した構成としてある。これにより、スピーカユニット背面側の後部容量，後部距離を大きく確保することができ、迫力のある効果音等を出力させることができる。【選択図】      図１
2006109914.tif 000002
【特許請求の範囲】
【請求項１】
複数の図柄が表示された複数のリールと、該複数のリールの回転及び停止の各種操作を行う操作部と、スロットマシンの機種名等を表示した前面パネル部と、遊技中に各種の音を出力するスピーカユニットを備え、遊技者の操作によってリールが回転及び停止され、停止した各リールの図柄の入賞配列に応じたメダルが払い出されるスロットマシンであって、
前記前面パネルの上方及び／又は下方に、前記スピーカユニットの前面をスロットマシン前面側に向けて配置し、当該スピーカユニットの背面側を第一の密閉空間を形成する第一の密閉部材で覆うとともに、前記前面パネルの背面側を第二の密閉空間を形成する第二の密閉部材で覆い、前記第一の密閉空間と前記第二の密閉空間とを連通させた音出力構造を備えることを特徴とするスロットマシン。
【請求項２】
前記第一の密閉空間と前記第二の密閉空間とを、ダクトを介して連通させた請求項１記載のスロットマシン。
【請求項３】
前記前面パネルの前扉への取り付け構造が柔構造である請求項１又は２記載のスロットマシン。
【請求項４】
前記前面パネルの前扉への取り付け構造が剛構造である請求項１又は２記載のスロットマシン。
【発明の詳細な説明】
【技術分野】
【０００１】
本発明は、演出用の効果音等を発するスピーカを備えたスロットマシンに関し、特に、スピーカ背面側の後部容量や後部距離を十分に確保することにより、中高音域から重低音域にわたる全音域でスピーカ音を出力することができ、臨場感溢れる迫力ある効果音等を出力することができるとともに、スピーカ部分を介したスロットマシン内部への不正行為等も有効に防止できる音出力構造を備えたスロットマシンに関する。
【背景技術】
【０００２】
従来から、スロットマシンにはスピーカ（スピーカユニット）が設けられており、スピーカから遊技状況に応じてバックグラウンドミュージックや効果音や音声等を出力することにより、遊技を盛り上げ遊技者の遊技に対する興味や興奮を高める演出が行われている。
特に、近年、音による演出が重要視される傾向にあるとともに、出力される音の音質等も演出効果を高める要素の一つとして注目されており、音質を改善するために、バスレフ（位相反転）型スピーカが搭載されたスロットマシンが登場している。
【０００３】
図４を参照してバスレフ型スピーカについて説明する。
同図に示すように、バスレフ型スピーカ１００は、スピーカユニット１０１の背面から発せられる音をスピーカキャビネット１０２内に閉じ込め、この閉じ込めた音を円筒や角筒状の共鳴筒（ダクト，ポート）１０３を利用して、背面側の音をある周波数域で共振させて低音の位相を反転し、スピーカユニット１０１の前面の音と合わせて低音拡大を行うようになっている。
このようなバスレフ型スピーカでは、特に重低音が増幅されて出力されるため、臨場感に溢れる音の演出を行うことができ、スロットマシンに搭載した場合、遊技者の遊技に対する興味や興奮を高揚させることが可能となる。
【０００４】
なお、重低音を出力する別タイプのスピーカとしては、図５に示すようなバックローディング（バックロードホーン）型スピーカも知られている。
同図に示すように、バックローディング型スピーカ２００は、スピーカキャビネット２０１に取り付けられたスピーカユニット１０１の背面にホーン２０２を設け、スピーカユニット１０１の背面の音を積極的に利用することにより低音域を拡大し、上述したバスレフ型スピーカより一段と重低音を出力可能にしている。
【０００５】
このようなバスレフ型のスピーカ構造を備えたスロットマシンとしては、図６に示すような第一従来例のスロットマシンがある（特許文献１参照）。
同図に示す第一従来例のスロットマシンの効果音出力構造３００では、スロットマシンの前扉３０１と背面カバー３０２によって密閉空間を形成し、背面カバー３０２をスピーカ後面を覆うエンクロージャとし、前扉３０１をバッフル板として、前扉３０１にスピーカユニット１０１の前面側が固定してある。
そして、スピーカユニット１０１の下方にはダクト３０３が配置され、ダクト３０３の開口部３０３ａが前扉３０１の下方に設けられている。
このような構成にすれば、図４に示したバスレフ型スピーカと同等の効果を得ることができ、臨場感溢れる効果音演出等が可能となった。
【０００６】
ところで、従来のスロットマシンの内蔵スピーカは、スロットマシン筐体に設けられた透音孔（音を外部に出力する孔）を介してピアノ線等の異物が挿入され、コーン紙等が破られて制御基板等に対して不正行為（ゴト行為）を受けることがあった。
このため、スピーカ部分を介して行われるこのような不正行為を有効に防止する必要があり、従来は、図６に示したように、スピーカの背面側を樹脂製のエンクロージャ等で覆う構成としたり、あるいは、スピーカの前方をパネル等で覆ってスピーカ全体を密閉し、異物の挿入自体が行えないようにする構成が採られていた（特許文献２参照）。
【０００７】
図７に、スピーカの前方をパネルで覆ったスピーカ構造を備えた第二従来例のスロットマシンを示す。
同図に示すように、第二従来例のスロットマシンの効果音出力構造４００は、パネル照明部４０１の奥側にスピーカユニット１０１を取り付けてある。
スピーカユニット１０１の前方には、スロットマシン外部に対して密閉した密閉空間室４０２を設け、密閉空間室４０２は、スロットマシンの外部に向かって露出する露出部４０３と、露出部の奥側に密閉空間を介して位置する裏面部４０４とを備えている。
【０００８】
裏面部４０４にはスピーカ取付孔４０５が設けられ、スピーカ取付孔４０５には、スピーカユニット１０１が、前方を密閉空間室４０２に向けて取り付けられている。
密閉空間室４０２の内部には蛍光灯Ｌが配置され、前面パネル４０８に描かれたスロットマシンの機種名等が表示されるようになっている。
なお、図７中、４０６はスロットマシンの前扉、４０７はスタートレバー、４０８はアクリル製の前面パネル、４０９はメダル受け皿である。
【０００９】
このようなスピーカ構造では、前面パネル４０８が振動することでスピーカユニット１０１から出力される音を伝達・出力して、効果音等がパネル前面側に出力される。
そして、前面パネル４０８によってスピーカユニット１０１の前方体が覆われるので、外部からのスピーカユニット内部への異物の挿入や混入を防止することができ、これによって、前面が外部に露出する通常のスピーカとほぼ同等の音質や音量等を確保しつつ、スピーカ部を介した不正行為を有効に防止することができた。
【００１０】
【特許文献１】特開２００４−２４３５９号公報
【特許文献２】特開２００４−１４１２９７号公報
【発明の開示】
【発明が解決しようとする課題】
【００１１】
しかしながら、以上のようなスピーカ構造を備えた従来のスロットマシンでは、スピーカの音響効果等の点で次のような課題があった。
まず、図６に示した第一従来例のスロットマシンの効果音出力構造では、構造上はバスレフ型スピーカとなっていたが、スロットマシンの内部構造上、スピーカ背面側の空間には制約があり、背面カバーを大きくすることにも限界があった。このため、実際にはスピーカの後部容量が十分に確保されず、その結果、バスレフ型スピーカとしての音響効果を発揮することができず、特に重低音部分についての音質，音響効果が低下するという問題があった。
【００１２】
また、第二従来例のスロットマシンの効果音出力構造４００では、スピーカユニット全体がパネルで覆われ、スピーカ音は全て密閉空間内に出力されるため、スピーカが露出して音が直接外部に出力される通常のスピーカ構造と比較すると、特に中高音域の音の損失が大きいという問題があった。
すなわち、この第二従来例では、パネルの振動を介して音を伝えるため、音域全体、特に高音域の音質が著しく損なわれるという問題が発生した。
【００１３】
本発明は、以上のような従来の技術が有する問題を解決するために提案されたものであり、音響構造としては利用されていなかったスロットマシン前面パネル部の空間を有効利用することにより、スピーカ背面側の後部容量や後部距離（バックロード）を飛躍的に増大させ、これによって中高音域から重低音域にわたる全音域でスピーカ音を効率よく出力することができ、音響効果を高めて臨場感溢れる迫力ある効果音等を出力することができるとともに、スピーカ部分を介したスロットマシン内部への不正行為等も有効に防止できる音出力構造を備えたスロットマシンの提供を目的とする。
【課題を解決するための手段】
【００１４】
上記目的を達成するため、本発明のスロットマシンは、複数の図柄が表示された複数のリールと、該複数のリールの回転及び停止の各種操作を行う操作部と、スロットマシンの機種名等を表示した前面パネル部と、遊技中に各種の音を出力するスピーカユニットを備え、遊技者の操作によってリールが回転及び停止し、停止した各リールの図柄の入賞配列に応じたメダルが払い出されるスロットマシンであって、前面パネル（２０）の上方及び／又は下方に、スピーカユニット（２２）の前面をスロットマシン前面側に向けて配置し、スピーカユニット（２２）の背面側を第一の密閉空間を形成する第一の密閉部材（背面カバー２３）で覆うとともに、前面パネルの背面側を第二の密閉空間を形成する第二の密閉部材（パネル照明部１０ｂ）で覆い、かつ、第一の密閉空間と前記第二の密閉空間とを連通させた音出力構造を備える構成としてある。
【００１５】
以上の構成を図示すると、例えば図３に示すようになる。
このようにすれば、スピーカユニット（２２）の背面側に第一の密閉空間を形成するとともに、前面パネル（２０）の背面側に第二の密閉空間を形成し、この第一及び第二の密閉空間を連通した構成としているので、スピーカ背面側に大きな後部容量を確保することが可能となり、広い後部容量空間を有する密閉型スピーカとして機能させることができる。
これによって、スピーカユニット（２２）からは中高音域のみならず、重低音域までの音を出力させることができ、迫力のある効果音等を発生させることができる。
【００１６】
そして、スピーカユニット（２２）の背面側には、エンクロージャとして機能する第一の密閉部材（背面カバー２３）が配置されているので、ピアノ線等の異物が挿入されても背面カバーに遮られてスロットマシン内部までは挿入できず、制御基板等に対する不正行為が有効に防止される。
このように、本発明によれば、スロットマシンに必ず備えられる構成要素である前面パネルとその内部空間を利用することで、既存のスロットマシンの構造を最大限に有効活用して、従来にはない音響効果に優れたスロットマシン用のスピーカ構造を実現することができる。
【００１７】
また、本発明のスロットマシンは、第一の密閉空間と第二の密閉空間とを、ダクト（１０ｃ）を介して連通させた構成としてある。
以上の構成を図示すると、例えば図１，図２に示すようになる。
このようにすれば、連通手段としてダクト（１０ｃ）を用いることで、ダクト（１０ｃ）を備えない場合（図３参照）と比較して、スピーカの後部距離をさらに長く確保でき、より効果的に重低音を出力させることができる。
すなわち、ダクトを用いることにより、前面パネルの内部空間にスピーカの後部距離を長く確保することができるので、第二の密閉部材（パネル照明部１０ｂ）により第二の密閉空間をホーン形状に構成してバックローディング型スピーカ（図５参照）として機能させることができ、より効果的に重低音域の音を出力させることが可能となる。
【００１８】
また、本発明のスロットマシンは、前面パネル（２０）の前扉（１０）への取り付け構造が柔構造である構成としてある。
このようにすれば、第二の密閉空間を覆う前面パネル（２０）を、例えばゴム等の弾性材を介して前扉（１０）に取り付ける柔構造とすることで、前面パネル（２０）を大きく振動させることができ、太鼓のような音を出力することができる。
【００１９】
さらに、本発明のスロットマシンは、前面パネル（２０）の前扉（１０）への取り付け構造が剛構造である構成としてある。
このようにすれば、前面パネル（２０）を前扉（１０）に剛構造で取り付けることで、前面パネル（２０）の振動を小さくすることができ、音の出力部をスピーカ部のみに限定することができる。
すなわち、本発明では、スロットマシンの構造等に応じて、前面パネルはスピーカの振動板として使用することもできるが、振動板として使用しないようにすることもでき、より汎用性，拡張性に優れたスピーカ構造を提供することができる。
【発明の効果】
【００２０】
以上のように、本発明の音出力構造を備えたスロットマシンによれば、音響構造として利用されていなかったスロットマシン前面パネル部の空間を有効利用することにより、スピーカ背面側の後部容量や後部距離を飛躍的に増大させることができる。
これによって、中高音域から重低音域にわたる全音域でスピーカ音を効率よく出力することができ、音響効果を高めて臨場感溢れる迫力ある効果音等を出力することができるとともに、スピーカ部分を介したスロットマシン内部への不正行為等も有効に防止できる
【発明を実施するための最良の形態】
【００２１】
以下、本発明に係るスロットマシンの好ましい実施形態について、図面を参照しつつ説明する。
［第一実施形態］
まず、図１及び図２を参照して、本発明に係るスロットマシンの第一実施形態について説明する。
図１は、本発明の第一実施形態に係るスロットマシンの正面図であり、図２は、同じく要部断面側面図である。
【００２２】
［スロットマシン本体］
まず、図１を参照して、本実施形態のスロットマシンの全体構成を説明する。
同図に示すように、スロットマシンＳＭは、客席側に開閉可能な前扉１０に、メダル投入口１１と、クレジット表示部１２と、クレジット精算スイッチ１３と、ＢＥＴスイッチ１４と、ＭＡＸＢＥＴスイッチ１５と、スタートレバー１６と、三個のストップボタン１７（１７ａ〜１７ｃ）と、メダル払出口１８と、メダル受け皿１８ａと、スピーカユニットからの音を外部に出力する透音孔１０ｅと、表示器１９と、前面パネル２０を備えている。
また、スロットマシンＳＭの本体内部には、第一のスロットマシンの効果音出力構造ＳＳＣ１（図２参照）と、図示しないドラムユニット，ホッパー装置，制御部等が備えられている。
【００２３】
メダル投入口１１は、ゲームに賭けるメダルを受け入れる。スロットマシンＳＭには、ゲームに賭けるメダルを、ゲーム毎にメダル投入口１１から投入するメダル投入モードと、クレジットとして内部に貯溜されたメダルをゲームに賭けるクレジットモードとがあり、いずれかのモードを遊技者が選択可能である。
クレジットモードでは、メダル投入口１１から投入されたメダルや、ゲームの入賞内容に応じて払い出すべきメダルが、最大クレジット枚数（例えば５０枚）を限度として内部に貯溜され、その枚数がクレジット表示部１２に表示される。
【００２４】
クレジット精算スイッチ１３は、クレジットとして貯溜されたメダルを払い出すためのスイッチである。
ＢＥＴスイッチ１４及びＭＡＸＢＥＴスイッチ１５は、クレジットとして貯留されたメダルをゲームに賭けるためのスイッチである。ＢＥＴスイッチ１４は、クレジットとして貯留されたメダルを、一回の操作につき一枚ずつ賭けることができ、ＭＡＸＢＥＴスイッチ１５は、一回のゲームに賭けられる最大枚数（例えば三枚）を、一回の操作で賭けることができる。
【００２５】
スタートレバー１６は、メダルが賭けられた後に操作する。スタートレバー１６を操作すると、ドラムユニット３０に設けられるリール３１ａ〜３１ｃの回転が開始する。
ストップボタン１７ａ〜１７ｃは、リール３１ａ〜３１ｃと同数設ける。これらのストップボタン１７ａ〜１７ｃを押下すると、対応するリール３１ａ〜３１ｃの回転が停止し、ゲームの入賞又は外れが決まる。
メダル払出口１８は、ゲームの入賞内容に応じて、所定枚数のメダルを払い出さす部分である。また、精算した貯溜メダルも、ここから払い出す。
また、表示器１９は、ランプ等からなり、その点灯や点滅により遊技を演出する。
【００２６】
［効果音出力構造］
次に、図２を参照して、本実施形態に係るスロットマシンの効果音出力構造（第一の効果音出力構造）ＳＳＣ１を説明する。
図２に示すように、効果音出力構造ＳＳＣ１を構成する前扉１０は、例えばＡＢＳ樹脂のような合成樹脂等からなり、表示器の取付部や表示窓周囲の枠体，前面パネル取付部メダル払出部の周囲，透音孔等が一体成形されている。
そして、前扉１０のパネル照明部１０ｂは、図２に示すように客席側から本体側に凹んだ凹部状に形成されるとともに、客席側に広がるホーン形状に形成されている。このパネル照明部１０ｂの凹部に、アクリル製の前面パネル２０が取り付けられて、ホーン形状の密閉空間（第二の密閉空間）が形成されている。
前面パネル２０は、例えばアクリル製の板状部材からなり、枠状のパネル押え２１によって、図示しない弾性部材（例えば、ゴム）を介して前扉１０に取り付けられ、この前面パネル２０がスピーカユニット２２の音を出力する振動板として機能するようになっている。
【００２７】
パネル照明部１０ｂの内部（第二の密閉空間）には、蛍光灯Ｌが配置され、前面パネル２０に描かれた文字・図柄等を内部から照射して外部から鮮やかに視認できるようになっている。
また、パネル照明部１０ｂの下部側には、前面パネル２０に向けて開口した筒状のダクト１０ｃが一体的に形成され、さらに、ダクト１０ｃの下方において透音孔１０ｅを内側に囲むように、枠状のスピーカ取付枠１０ｄが一体的に形成されている。
【００２８】
そして、スピーカ取付枠１０ｄには、図２に示すように、スピーカユニット２２の前面側が固定されるようになっている。
また、スピーカユニット２２の背面側は、ダクト１０ｃの開口を含めて箱状の背面カバー２３により覆われて密閉され、この背面カバー２３がエンクロージャとして機能して第一の密閉空間が形成されるようになっている。
【００２９】
このように第一及び第二の密封空間を備える効果音出力構造ＳＳＣ１によれば、スピーカユニット２２の背面側には、第一及び第二の密封空間により十分な空間と距離が確保され、かつ、パネル照明部１０ｂによって第二の密閉空間がホーン形状に構成されてバックローディング型スピーカ（図５参照）が備えられるのと同様の構造になっている。
これによって、スピーカユニット２２の正面側からは主に中高音域の音が出力されるとともに、前面パネル２０からはスピーカ背面から出力された主に重低音域の音が出力され、バックローディング型スピーカのホーン効果と同様の効果によって、重低音域の音を出力することができる。
【００３０】
すなわち、本実施形態の効果音出力構造ＳＳＣ１では、中高音域の音はスピーカユニット２２の前面から透音孔１０ｅを通過して直接外部へ出力されるとともに、スピーカユニット２２の背面から出力された主に重低音域の音は、背面カバー２３及びダクト１０ｃを介してパネル照明部１０ｂの密閉空間に出力される。
そして、パネル照明部１０ｂに出力された重低音域の音は、振動板となる前面パネル２０を大きく振動させることにより、太鼓のように前面パネル２０の全体からスロットマシン前方に出力される。これによって、前面パネル２０がスピーカの振動板として機能して、迫力のある重低音域の音が外部に出力されるようになる。
なお、前面パネル２０をパネル照明部１０ｂに固定する場合に、剛体的に固定すれば（剛構造）、前面パネル２０の振動を小さくして、前面パネル部分から出力する重低音を小さくし、あるいは出力音をなくすことも可能である。
【００３１】
以上説明したように、本実施形態に係るスロットマシンによれば、スピーカユニット２２の背面側に第一の密閉空間を形成するとともに、前面パネル２０の背面側に第二の密閉空間を形成し、第一の密閉空間と前記第二の密閉空間とを連通した構成とすることにより、スピーカユニット２２の背面側に大きな後部容量，後部距離を確保することが可能となり、広い後部容量空間と長い後部距離を利用してホーン効果を発揮させることができる。これによって、スピーカユニット２２の前面（客席側）からは中高音を出力させ、振動板として機能する前面パネル２０の全体からは重低音を出力させることができる、迫力のある効果音等を発生させることができる。
【００３２】
そして、スピーカユニット２２の背面側には、エンクロージャとして機能する背面カバー２３が配置されているので、ピアノ線等の異物が挿入されても背面カバーに遮られてスロットマシン内部までは挿入できず、制御基板等に対する不正行為が有効に防止される。
このように、本発明によれば、スロットマシンに必ず備えられる構成要素である前面パネルとその内部空間を利用し、また、前面パネルをスピーカ音を出力する振動板として機能させることができ、既存のスロットマシンの構造を最大限に有効活用して、音響効果に優れたスピーカ構造を実現することができる。
【００３３】
［第二の実施形態］
図３は、本実施形態に係るスロットマシンにおける効果音等の出力構造の要部断面側面図である。
本実施形態のスロットマシンは、上述した第一の実施形態の変形であり、効果音出力構造として、第一実施形態における筒状のダクト１０ｃを廃し、スピーカユニット２２の口径よりやや広い連通孔１０ｆにより連通した構造としたものである。
従って、それ以外の構成要素，機能，動作については第一実施形態と同様となっており、同様部分については同一符号を付して重複説明は省略する。
【００３４】
このように、本実施形態では、第一実施形態におけるダクト１０ｃに代えて、スピーカユニット２２の口径よりやや広い連通孔１０ｆによって、第一及び第二の密閉空間を連通してある。
このような第二のスロットマシンの効果音出力構造ＳＳＣ２では、ダクト１０ｃを備える第一実施形態の場合と比較して、スピーカユニット２２の背面側の後部容量をより大きく確保することができ、これによって、スピーカユニット２２の背面側をウーファーとして機能させて重低音域の音を効果的に出力することができるようになる。
【００３５】
以上、本発明のスロットマシンについて、好ましい実施形態を示して説明したが、本発明に係るスロットマシンは、上述した実施形態にのみ限定されるものではなく、本発明の範囲で種々の変更実施が可能であることは言うまでもない。
例えば、上述した各実施形態では、スピーカユニット２２は、前面パネル２０下方に位置していたが、このスピーカユニット２２を前面パネル２０の上方に配置することもできる。さらに、スピーカユニット２２を前面パネル２０の上方と下方の双方に配置することも可能である。
すなわち、本発明は、音出力構造として、スピーカユニットの背面側に第一の密閉空間を備え、前面パネルの背面側に第二の密閉空間を備え、第一及び第二の密閉空間を連通させる構成であれば、スピーカユニットの位置や数等は特に限定されるものではない。複数のスピーカユニットを配置することにより、より臨場感のある迫力ある演出音等を出力させることが可能となる。
【産業上の利用可能性】
【００３６】
本発明は、複数のリール（回胴）を回転及び停止させ、リールの停止図柄の配列にもとづいて入賞役が決定されて所定数の入賞メダルが払い出させるスロットマシンに適用することができ、特に、スピーカを介して遊技進行用の音声や演出用の効果音等が大音量で出力されるスロットマシンに好適に利用することができる。
【図面の簡単な説明】
【００３７】
【図１】本発明の第一実施形態に係るスロットマシンの正面図である。
【図２】本発明の第一実施形態に係るスロットマシンの要部断面側面図である。
【図３】本発明の第二実施形態に係るスロットマシンの要部断面側面図である。
【図４】従来のバスレフ型スピーカの断面側面図である。
【図５】従来のバックローディング型スピーカの断面側面図である。
【図６】第一従来例のスロットマシンの効果音出力構造を示す要部断面側面図である。
【図７】第二従来例のスロットマシンの効果音出力構造を示す要部断面側面図である。
【符号の説明】
【００３８】
ＳＭ  スロットマシン
ＳＳＣ１  第一のスロットマシンの効果音出力構造（効果音出力構造）
ＳＳＣ２  第二のスロットマシンの効果音出力構造（効果音出力構造）
１０  前扉
１０ａ  表示窓
１０ｂ  パネル照明部
１０ｃ  ダクト
１０ｄ  スピーカ取付枠
１０ｅ  透音孔
１０ｆ  連通孔
１１  メダル投入口
１２  クレジット表示部
１３  クレジット精算スイッチ
１４  ＢＥＴスイッチ
１５  ＭＡＸＢＥＴスイッチ
１６  スタートレバー
１７（１７ａ〜１７ｃ）  ストップボタン
１８  メダル払出口
１８ａ  メダル受け皿
１９  表示器
２０  前面パネル
２１  パネル押え
２２  スピーカユニット
２３  背面カバー２３
３０  ドラムユニット
３１（３１ａ〜３１ｃ）  リール
【図１】
2006109914.tif 000003
【図２】
2006109914.tif 000004
【図３】
2006109914.tif 000005
【図４】
2006109914.tif 000006
【図５】
2006109914.tif 000007
【図６】
2006109914.tif 000008
【図７】
2006109914.tif 000009